(57)【要約】【課題】本発明は、原稿載置台を本体部に組み付けが容易に行えるとともにガタツキなく回動可能に取り付けることが可能な画像読取装置を提供することを目的とするものである。【解決手段】原稿トレイ１０には、回転軸体１００が側方に突設されており、回転軸体１００には、回転位置決め部１００ａ、抜け止め部１００ｂ及び軸位置決め部１００ｃが軸方向に配列されて形成されている。また、本体部７には、回転軸体１００を軸支するために軸受体７０が設けられており、軸受体７０には、回転位置決め部１００ａが軸着される回転軸受部７０ａ、抜け止め部１００ｂが抜き差し可能に挿着される支持部７０ｂ及び軸位置決め部１００ｃが軸方向のガタツキがなく嵌着される嵌合部７０ｃが形成されている。【選択図】図５
2007235475.tif 000002
【特許請求の範囲】
【請求項１】
原稿載置台に設けられた回転軸体を本体部の軸受体に装着して原稿載置台を回動可能に取り付けた画像読取装置において、前記回転軸体には、回転位置決め部、抜け止め部及び軸位置決め部が軸方向に配列されて形成されており、前記軸受体には、前記回転位置決め部が軸着される回転軸受部、前記抜け止め部が抜き差し可能に挿着される支持部及び前記軸位置決め部が軸方向のガタツキがなく嵌着される嵌合部が形成されていることを特徴とする画像読取装置。
【請求項２】
前記抜け止め部は、前記回転軸体の回転中心軸を通る平面を中心に両側に所定幅の挿入幅を有するとともに当該平面に沿った長さが挿入幅よりも長く形成されており、前記支持部は、前記挿入幅よりもわずかに幅広の挿入口が形成されるとともに内部に前記抜け止め部が回転可能な空間が形成されていることを特徴とする請求項１に記載の画像読取装置。
【請求項３】
前記軸位置決め部は、前記回転軸体の回転中心軸を中心とする中心部を有するとともに周方向に沿って嵌合凹部が形成されており、前記嵌合部は、前記軸位置決め部を挟持するように前記嵌合凹部に嵌合するとともに前記嵌合凹部の内側面に摺接する一対の突起が形成されていることを特徴とする請求項１又は２に記載の画像読取装置。
【発明の詳細な説明】
【技術分野】
【０００１】
本発明は、複写機、ファクシミリ装置などの画像形成装置に適用可能な、原稿を読取可能な画像読取装置に関する。
【背景技術】
【０００２】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
シートスルータイプでは、ホッパ等の原稿載置台に読み取る原稿をセットして１枚ずつ自動的に搬送して原稿を読み取ることができる。こうした原稿載置台は、画像読取装置の本体部に回動可能に取り付けられている。回動可能な部材の支持構造に関連して、本出願人は、特許文献１に示すように、軸受の軸孔を切欠き孔とし、ヒンジ軸に縦長片部を形成して、切欠き孔から縦長片部を抜き差し可能とすることで組み付けを容易にすることを提案している。
【特許文献１】特開平１１−８２４７１号公報
【発明の開示】
【発明が解決しようとする課題】
【０００４】
原稿載置台を本体部に組み付ける際に、特許文献１のように容易に組み付け作業が可能となるようにすることも必要であるが、原稿載置台は、読取処理を行う原稿を載置するため、原稿の位置決めを正確に行う必要がある。そのため、原稿のサイズに応じてガイドを設定して予め決められた位置に原稿が載置されるようにしている。しかし、原稿載置台上に原稿が正確に位置決めされたとしても、原稿載置台の組み付けにガタツキがあると、原稿載置台自体に位置ずれが生じて、原稿を搬送機構に正確に搬入することができなくなる。特許文献１に記載された支持構造では組み付けが容易に行えるが、ガタツキなく組み付ける構造となっていない。
【０００５】
そこで、本発明は、原稿載置台を本体部に組み付けが容易に行えるとともにガタツキなく回動可能に取り付けることが可能な画像読取装置を提供することを目的とするものである。
【課題を解決するための手段】
【０００６】
本発明に係る画像読取装置は、原稿載置台に設けられた回転軸体を本体部の軸受体に装着して原稿載置台を回動可能に取り付けた画像読取装置において、前記回転軸体には、回転位置決め部、抜け止め部及び軸位置決め部が軸方向に配列されて形成されており、前記軸受体には、前記回転位置決め部が軸着される回転軸受部、前記抜け止め部が抜き差し可能に挿着される支持部及び前記軸位置決め部が軸方向のガタツキがなく嵌着される嵌合部が形成されていることを特徴とする。さらに、前記抜け止め部は、前記回転軸体の回転中心軸を通る平面を中心に両側に所定幅の挿入幅を有するとともに当該平面に沿った長さが挿入幅よりも長く形成されており、前記支持部は、前記挿入幅よりもわずかに幅広の挿入口が形成されるとともに内部に前記抜け止め部が回転可能な空間が形成されていることを特徴とする。さらに、前記軸位置決め部は、前記回転軸体の回転中心軸を中心とする中心部を有するとともに周方向に沿って嵌合凹部が形成されており、前記嵌合部は、前記軸位置決め部を挟持するように前記嵌合凹部に嵌合するとともに前記嵌合凹部の内側面に摺接する一対の突起が形成されていることを特徴とする。
【発明の効果】
【０００７】
上記のような構成を有することで、原稿載置台の回転軸体に、回転位置決め部、抜け止め部及び軸位置決め部を軸方向に配列するとともに、これらに対応して、本体部の軸受体に、それぞれ回転軸受部、支持部及び嵌合部を形成しているので、抜け止め部及び支持部により抜き差し可能に回転軸体を軸受体に組み付けることができ、また、軸位置決め部及び嵌合部により軸方向のガタツキが防止されて、原稿載置台が回動されたりしても軸方向の位置ずれが発生せず、原稿の搬入位置が変動することがない。そのため、組み付けが容易であるとともに原稿の搬入位置が常に精度よく設定することができる。
【０００８】
そして、抜け止め部が、回転軸体の回転中心軸を通る平面を中心に両側に所定幅の挿入幅を有するとともに当該平面に沿った長さを挿入幅よりも長く形成し、支持部が、抜け止め部の挿入幅よりもわずかに幅広の挿入口を形成するとともに内部に抜け止め部が回転可能な空間を形成することで、抜け止め部の挿入幅が挿入口よりも狭いことを利用して容易に抜き差しが可能であり、抜け止め部が支持部内で回転することで挿入口から抜け止め部が抜けることがなくなる。
【０００９】
また、軸位置決め部が、回転軸体の回転中心軸を中心とする中心部を有するとともに周方向に沿って嵌合凹部を形成し、嵌合部が、軸位置決め部を挟持するように嵌合凹部に嵌合するとともに嵌合凹部の内側面に摺接する一対の突起を形成することで、軸位置決め部が嵌合部に嵌着した状態で回転可能であるとともに軸方向のガタツキが防止されるようになる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る画像読取装置が適用可能な画像形成装置全体の概略断面図である。画像形成装置の上部には原稿搬送部１及び原稿を読み取る原稿読取部２を備えた画像読取装置Ａが配置され、その下部に画像を記録する記録部３、画像を記録する用紙を搬送する用紙搬送部４及び２つの給紙部５、６が配されている。
【００１２】
原稿搬送部１では、原稿載置台である原稿トレイ１０、ピックアップローラ１１、セパレートローラ１２及びリタードローラ１３により原稿が搬入される。すなわち、原稿トレイ１０に載置された原稿がピックアップローラ１１により引き込まれ、セパレートローラ１２及びリタードローラ１３の間に原稿の先端が挟持される。セパレートローラ１２は時計回りに回転して原稿を引き込むように動作するが、リタードローラ１３も時計回りに回転して原稿を引き込まないように動作するため、原稿の二重送りが防止されて原稿が１枚ずつ搬入される。次に、原稿は、フィードローラ１４及びプレスローラ１５に挟持されて搬送され、ガイドに沿ってフィードローラ１６及びプレスローラ１７の間に原稿の先端が到達する。ここで、原稿検知センサにより原稿の先端が検知されると、フィードローラ１６が搬送を開始し、フィードローラ１８及びプレスローラ１９の間に原稿の先端が挟持されて一定速度で原稿は搬送される。その間にプラテン２３において原稿読取部２により原稿が読み取られる。こうして搬送されて読み取られた原稿は、排出ローラ２０及びプレスローラ２１の間に搬送されて原稿排出トレイ２２に搬出される。
【００１３】
原稿読取部２では、ランプ２４によりプラテン２３に向けて光を照射して原稿からの反射光をミラーでＣＣＤ２５に導き電気信号に変換される。
【００１４】
記録部３では、用紙搬送部４により搬送された用紙に記録するために、トナー容器２６、帯電ブラシ２９、感光体ドラム３０、転写ローラ３１、露光ヘッド３２及び定着ローラ３３が備えられている。まず、感光体ドラム３０の表面を帯電ブラシ２９により一様に帯電させ、帯電された感光体ドラム３０に露光ヘッド３２で画像記録信号に応じて露光することで静電潜像を形成する。次に、トナー容器２６内のトナーを供給ローラ２７から現像ローラ２８を介して感光体ドラム３０に形成された静電潜像に転移させて可視像化し、転写ローラ３１により感光体ドラム３０表面に形成されたトナー像を用紙に転写する。そして、転写されたトナー像は、定着ローラ３３及びプレスローラ３４によって挟持されて加熱・プレスされ用紙に定着される。
【００１５】
用紙搬送部４では、各給紙部５及び６の給紙カセット４３内に積載された用紙がピックアップローラ３５によって引き込まれ、フィードローラ３６及びプレスローラ３７の間に挟持されて搬送される。搬送された用紙は用紙ガイドに沿って搬送され、フィードローラ３８及びプレスローラ３９の間に挟持されて記録部３に搬送される。記録部３に搬送された用紙は、上述したように転写ローラ３１及び感光体ドラム３２の間を搬送されてトナー像が転写され、定着ローラ３３及びプレスローラ３４の間に挟持されてトナー像が定着されて、排出ローラ４０及びプレスローラ４１の間に挟持されて用紙排出トレイ４２に搬出される。
【００１６】
図２及び図３は、画像読取装置Ａの外観斜視図及び上面図を示している。画像読取装置Ａの本体部７の上部には、原稿トレイ１０の両側に軸受体７０及び７１が突起状に形成されており、軸受体７０及び７１を覆うように側部カバー７２及び７３（図２において点線で表示）が取り付けられている。
【００１７】
原稿トレイ１０の両側には、回転軸体１００及び１０１が側方に突設されており、回転軸体１００が軸受体７０に、回転軸体１０１が軸受体７１にそれぞれ装着されることで、原稿トレイ１０は本体部７の上部に回動可能に取り付けられるようになっている。原稿トレイ１０の上面には、原稿ガイド１０２及び１０３が取り付けられており、それぞれ底面の突起部が案内溝１０４及び１０５嵌合して摺動可能に設けられている。
【００１８】
図４及び図５は、回転軸体１００が軸受体７０に装着された部分の一部拡大斜視図及び拡大上面図を示している。回転軸体１００は、軸方向に根元部１００ｄから回転位置決め部１００ａ、抜け止め部１００ｂ及び軸位置決め部１００ｃが順次配列されて形成されており、軸位置決め部１００ｃに先端部１００ｅが設けられている。軸受体７０には、回転位置決め部１００ａが軸着される回転軸受部７０ａ、抜け止め部１００ｂが抜き差し可能に挿着される支持部７０ｂ及び軸位置決め部１００ｃが軸方向のガタツキがなく嵌着される嵌合部７０ｃが形成されている。
【００１９】
図６は、図５におけるＡ−Ａ断面図（図６（ａ））、Ｂ−Ｂ断面図（図６（ｂ））及びＣ−Ｃ断面図（図６（ｃ））を示している。図６（ａ）に示すように、回転位置決め部１００ａは、回転軸体１００の回転中心軸Ｐを中心に円板状に形成されており、回転軸受部７０ａは、回転位置決め部１００ａの外周面に合致するように円形に湾曲した形状に形成されており、上部には回転位置決め部１００ａの直径とほぼ同じ間隔の開口部が形成されている。したがって、回転位置決め部１００ａは、回転軸受部７０ａに軸着されて回転中心軸Ｐを中心に回転可能に軸支されるようになり、また上部の開口部から抜き差し可能に装着される。
【００２０】
図６（ｂ）に示すように、抜け止め部１００ｂは、回転位置決め部１００ａと同じ径の円板を回転中心軸Ｐを通る平面を中心に両側に幅ｄの挿入幅を形成するように当該平面に沿って両側を切除した形状とされており、さらに両側の切除面に軸方向に一対の溝を形成するように削除してリブを形成している。また、支持部７０ｂは、回転位置決め部１００ａと同じ径で湾曲形成した内面を形成し抜け止め部１００ｂの上部を囲むように形成されており、その上部には幅ｄよりもわずかに幅広の間隔Ｄを有する開口部が形成されている。
【００２１】
したがって、後述するように、抜け止め部１００ｂを縦にした状態で開口部に挿入した後回転軸体１００を回転させて図６（ｂ）に示すように横の状態にすると、抜け止め部１００ｂは縦の状態にならない限り支持部７０ｂから抜けることはない。そして、支持部７０ｂの内面は、上述したように湾曲形成されているので、抜け止め部１００ｂは自由に回転させることができる。
【００２２】
図６（ｃ）に示すように、軸位置決め部１００ｃは、十字状の断面とされており、十字状の断面の各先端を通る円は回転中心軸Ｐを中心としその径は抜け止め部１００ｂ及び先端部１００ｅよりも小さくなるように設定されている。そのため、軸位置決め部１００ｃには、周方向に嵌合凹部が形成されている。嵌合部７０ｃは、軸位置決め部１００ｃを両側から挟持するように立設した一対の突起からなっており、一対の突起の間には軸位置決め部１００ｃの径よりもわずかに幅広の間隔が形成されている。また、一対の突起の幅は、嵌合凹部の幅とほぼ同一に形成されており、そのため、回転軸体１００を装着すると、一対の突起は嵌合凹部の両内側面に当接し、回転軸体１００が回転すると、嵌合凹部が一対の突起に摺接するようになる。したがって、嵌合凹部に一対の突起が常時当接することで回転軸体１００が軸方向にがたつくことがなくなる。
【００２３】
図４に示すように、回転軸体１００の先端部１００ｅは、回転位置決め部１００ａと同一径の円板状に形成されている。
【００２４】
以上の構成により、回転軸体１００は、回転軸受部７０ａに回転位置決め部１００ａが軸支されて回転中心軸Ｐを中心にぶれることなく回転することができ、嵌合部７０ｃに軸位置決め部１００ｃを嵌着することで軸方向にがたつくことなく回転することが可能となる。そして、抜け止め部１００ｂを縦にして抜き差しすることで、回転軸体１００を軸受体７０に容易に組み付けできる。図７は、原稿トレイ１０を本体部７に装着する場合を示す斜視図（図７（ａ））及びその拡大斜視図（図７（ｂ））であり、原稿トレイ１０を立てた状態で本体部７に装着すると、回転軸体１００の抜け止め部１００ｂが縦の状態となって支持部７０ｂの開口部に差し込まれるようになる（図７（ｂ）参照）。その際に、回転位置決め部１００ａ及び軸位置決め部１００ｃは、回転軸受部７０ａ及び嵌合部７０ｃの開口部とほぼ同じであるから、回転軸体１００を装着する際に障害となることはない。
【００２５】
このように、１つの回転軸体に回転位置決め部、抜け止め部及び軸位置決め部をまとめて軸方向に配列して形成しているので、製造誤差が小さくなって精度よく回転軸体を作成でき、組み付け精度が向上する。
【００２６】
図８は、原稿トレイ１０の回転軸体１０１を本体部７の軸受体７１に装着する場合を示す斜視図である。回転軸体１０１は円筒状に形成されており、軸受体７１には回転軸体１０１よりもわずかに大きい円形に形成された軸支部７１ａが設けられている。そして、回転軸体１０１を内方から軸支部７１ａに挿着した後上述したように回転軸体１００を軸受体７０に差し込むことで簡単に原稿トレイ１０を本体部７に組み付けることが可能となる。
【図面の簡単な説明】
【００２７】
【図１】本発明に係る実施形態を適用可能な画像形成装置全体の概略断面図である。
【図２】画像読取装置に関する外観斜視図である。
【図３】画像読取装置に関する上面図である。
【図４】回転軸体及び軸受体の装着部分に関する一部拡大斜視図である。
【図５】回転軸体及び軸受体の装着部分に関する一部拡大上面図である。
【図６】図５におけるＡ−Ａ断面図、Ｂ−Ｂ断面図及びＣ−Ｃ断面図である。
【図７】原稿トレイを本体部に組み付ける場合に関する外観斜視図である。
【図８】もう一方の回転軸体の組み付ける場合に関する外観斜視図である。
【符号の説明】
【００２８】
Ａ    画像読取装置
１    原稿搬送部
２    原稿読取部
３    記録部
４    用紙搬送部
５    給紙部
６    給紙部
７    本体部
70    軸受体
70a   回転軸受部
70b   支持部
70c   嵌合部
71    軸受体
10    原稿トレイ
100   回転軸体
100a  回転位置決め部
100b  抜け止め部
100c  軸位置決め部
101   回転軸体
【図１】
2007235475.tif 000003
【図２】
2007235475.tif 000004
【図３】
2007235475.tif 000005
【図４】
2007235475.tif 000006
【図５】
2007235475.tif 000007
【図６】
2007235475.tif 000008
【図７】
2007235475.tif 000009
【図８】
2007235475.tif 000010